(57)【要約】      （修正有）【課題】複数のデバイスが測定を行うシステムにおいて、測定のタイミングを簡易な構成により同期させる。【解決手段】センシングシステム１００は、複数のセンサデバイス１０１から１０４を備える。それぞれのセンサデバイス１０１から１０４は、トリガセンサとターゲットセンサとを備える。センサデバイス１０１から１０４においてトリガセンサは、トリガ信号の信号値を測定する。また、センサデバイス１０１から１０４においてターゲットセンサは、トリガセンサにより測定された信号値が所定の条件を満たす場合には物理量の測定を開始する。【選択図】図１
2018092460.tif 000002
【特許請求の範囲】
【請求項１】
トリガ信号の信号値を測定するトリガセンサと前記測定された信号値が所定の条件を満たす場合には測定対象の物理量の測定を開始するターゲットセンサとをそれぞれが備える複数のセンサデバイスを具備するセンシングシステム。
【請求項２】
前記センサデバイスは、前記トリガセンサにより測定された信号値が前記所定の条件を満たす場合には計時を開始するタイマをさらに備える
請求項１記載のセンシングシステム。
【請求項３】
前記タイマは、計時を開始した後に前記信号値に基づいて時刻の補正を行う
請求項２記載のセンシングシステム。
【請求項４】
前記タイマは、前記信号値が前記所定の条件を満たす場合には所定の初期値に初期化される
請求項２記載のセンシングシステム。
【請求項５】
前記センサデバイスは、時刻データを計時するタイマと、前記信号値が所定の条件を満たすときの前記時刻データを起動時時刻データとして保持し、前記起動時時刻データと前記時刻データとの差分からセンサ用時刻データを生成する時刻データ加工部とをさらに備える
請求項１記載のセンシングシステム。
【請求項６】
前記センサデバイスは、互いに異なる物理量を測定する複数のセンサを前記ターゲットセンサとして備える
請求項１記載のセンシングシステム。
【請求項７】
前記センサデバイスは、互いに異なる信号を測定する複数のセンサを前記トリガセンサとして備える
請求項１記載のセンシングシステム。
【請求項８】
前記ターゲットセンサは、所定周波数のサンプリングクロックに同期して前記物理量を測定し、
前記トリガセンサは、前記所定周波数より周波数の高いサンプリングクロックに同期して前記信号値を測定する
請求項１記載のセンシングシステム。
【請求項９】
前記トリガ信号は、音声信号および光信号の少なくとも一方を含む
請求項１記載のセンシングシステム。
【請求項１０】
前記ターゲットセンサは、イメージセンサである
請求項１記載のセンシングシステム。
【請求項１１】
前記トリガセンサは、イメージセンサである
請求項１記載のセンシングシステム。
【請求項１２】
トリガ信号の信号値を測定するトリガセンサと、
前記測定された信号値が所定の条件を満たす場合には測定対象の物理量の測定を開始するターゲットセンサと
を具備するセンサデバイス。
【発明の詳細な説明】
【技術分野】
【０００１】
本技術は、センシングシステム、センサデバイス、および、センサデバイスの制御方法に関する。詳しくは、複数のセンサデバイスが測定を行うセンシングシステム、および、センサデバイスに関する。
【背景技術】
【０００２】
近年、様々な物体に通信機能を持たせてインターネットに接続したり相互に通信することにより、自動認識、自動制御や遠隔計測などを行うＩｏＴ（Internet of Things）技術の開発や研究が進められている。このＩｏＴ技術を利用するシステムにおいて、複数の通信デバイスが協調して測定を行うには、それぞれの通信デバイスの測定のタイミングを同期させる必要がある。例えば、時刻を同期させるコマンドをホストコンピュータが複数の通信デバイスに無線送信し、それらの通信デバイスがコマンドに従って時刻を同期させてから振動の測定を開始するシステムが提案されてる（例えば、特許文献１参照。）。
【先行技術文献】
【特許文献】
【０００３】
【特許文献１】特開２００７−１７４３３０号公報
【発明の概要】
【発明が解決しようとする課題】
【０００４】
上述の従来技術では、ホストコンピュータがコマンドを無線送信することにより、それぞれの通信デバイスの測定のタイミングを同期させることができる。しかしながら、上述の従来技術では、通信デバイスに加えてホストコンピュータを設ける必要があり、そのホストコンピュータのためにシステムの規模が増大してしまうという問題がある。
【０００５】
本技術はこのような状況に鑑みて生み出されたものであり、複数のデバイスが測定を行うシステムにおいて、測定のタイミングを簡易な構成により同期させることを目的とする。
【課題を解決するための手段】
【０００６】
本技術は、上述の問題点を解消するためになされたものであり、その第１の側面は、トリガ信号の信号値を測定するトリガセンサと上記測定された信号値が所定の条件を満たす場合には測定対象の物理量の測定を開始するターゲットセンサとをそれぞれが備える複数のセンサデバイスを具備するセンシングシステムである。これにより、トリガ信号の信号値が所定の条件を満たす場合に物理量の測定が開始されるという作用をもたらす。
【０００７】
また、この第１の側面において、上記第１センサデバイスは、上記センサデバイスは、上記トリガセンサにより測定された信号値が上記所定の条件を満たす場合には計時を開始するタイマをさらに備えてもよい。これにより、トリガ信号の信号値が所定の条件を満たす場合に計時が開始されるという作用をもたらす。
【０００８】
また、この第１の側面において、上記タイマは、計時を開始した後に上記信号値に基づいて時刻の補正を行ってもよい。これにより、信号値に基づいて時刻が補正されるという作用をもたらす。
【０００９】
また、この第１の側面において、上記タイマは、上記信号値が上記所定の条件を満たす場合には所定の初期値に初期化されてもよい。これにより、所定の条件が満たされたときに初期値から計時が開始されるという作用をもたらす。
【００１０】
また、この第１の側面において、上記センサデバイスは、時刻データを計時するタイマと、上記信号値が所定の条件を満たすときの上記時刻データを起動時時刻データとして保持し、上記起動時時刻データと上記時刻データとの差分からセンサ用時刻データを生成する時刻データ加工部とをさらに備えもよい。これにより、タイマの時刻データと別途にセンサ用時刻データが生成されるという作用をもたらす。
【００１１】
また、この第１の側面において、上記センサデバイスは、互いに異なる物理量を測定する複数のセンサを上記ターゲットセンサとして備えてもよい。これにより、互いに異なる複数の物理量が測定されるという作用をもたらす。
【００１２】
また、この第１の側面において、上記センサデバイスは、互いに異なる信号を測定する複数のセンサを上記トリガセンサとして備えてもよい。これにより、互いに異なる複数の信号のそれぞれの信号値が所定の条件を満たす場合に計時が開始されるという作用をもたらす。
【００１３】
また、この第１の側面において、上記ターゲットセンサは、所定周波数のサンプリングクロックに同期して上記物理量を測定し、上記トリガセンサは、上記所定周波数より周波数の高いサンプリングクロックに同期して上記信号値を測定してもよい。これにより、第１ターゲットセンサよりも周波数の高いサンプリングクロックに同期して信号値が測定されるという作用をもたらす。
【００１４】
また、この第１の側面において、上記トリガ信号は、音声信号および光信号の少なくとも一方を含んでもよい。これにより、音声信号および光信号の少なくとも一方の信号値が所定の条件を満たす場合に第１および第２の物理量の測定が開始されるという作用をもたらす。
【００１５】
また、この第１の側面において、上記ターゲットセンサは、イメージセンサであってもよい。これにより、信号値が所定の条件を満たす場合に画像データが撮像されるという作用をもたらす。
【００１６】
また、この第１の側面において、上記トリガセンサは、イメージセンサであってもよい。これにより、画像データが所定の条件を満たす場合に物理量の測定が開始されるという作用をもたらす。
【００１７】
また、本技術の第２の側面は、トリガ信号の信号値を測定するトリガセンサと、上記測定された信号値が所定の条件を満たす場合には測定対象の物理量の測定を開始するターゲットセンサとを具備するセンサデバイスである。これにより、トリガ信号の信号値が所定の条件を満たす場合に測定対象の物理量の測定が開始されるという作用をもたらす。
【発明の効果】
【００１８】
本技術によれば、複数のデバイスが測定を行うシステムにおいて、測定のタイミングを簡易な構成により同期させることができるという優れた効果を奏し得る。なお、ここに記載された効果は必ずしも限定されるものではなく、本開示中に記載されたいずれかの効果であってもよい。
【図面の簡単な説明】
【００１９】
【図１】本技術の第１の実施の形態におけるセンシングシステムの一構成例を示す全体図である。
【図２】本技術の第１の実施の形態におけるウェアラブルデバイスの一構成例を示すブロック図である。
【図３】本技術の第１の実施の形態におけるリアルタイムクロックに同期して計時するウェアラブルデバイスの一構成例を示すブロック図である。
【図４】本技術の第１の実施の形態における記録部に記録されるデータの一例を示す図である。
【図５】本技術の第１の実施の形態におけるウェアラブルデバイスの動作の一例を示すタイミングチャートである。
【図６】本技術の第１の実施の形態におけるセンシングシステムの利用方法を説明するための図である。
【図７】本技術の第１の実施の形態におけるセンシングシステムの動作の一例を示すタイミングチャートである。
【図８】本技術の第１の実施の形態におけるウェアラブルデバイスの動作の一例を示すフローチャートである。
【図９】本技術の第１の実施の形態の第１の変形例におけるセンシングシステムの一構成例を示す図である。
【図１０】本技術の第１の実施の形態の第２の変形例におけるセンシングシステムの一構成例を示す図である。
【図１１】本技術の第１の実施の形態の第３の変形例におけるウェアラブルデバイスの一構成例を示すブロック図である。
【図１２】本技術の第１の実施の形態の第３の変形例における時刻データ加工部の一構成例を示すブロック図である。
【図１３】本技術の第１の実施の形態の第３の変形例における計時動作の一例を示すタイミングチャートである。
【図１４】本技術の第１の実施の形態の第３の変形例におけるオフセット値を加算する時刻データ加工部の一構成例を示すブロック図である。
【図１５】本技術の第２の実施の形態におけるセンシングシステムの一構成例を示す図である。
【図１６】本技術の第３の実施の形態におけるウェアラブルデバイスの一構成例を示す図である。
【図１７】本技術の第４の実施の形態におけるウェアラブルデバイスの一構成例を示す図である。
【図１８】本技術の第５の実施の形態におけるセンシングシステムの一構成例を示す全体図である。
【図１９】本技術の第５の実施の形態における時刻の補正を行う際のセンシングシステムの動作を示すタイミングチャートである。
【図２０】本開示に係る技術が適用され得るＩｏＴシステム９０００の概略的な構成の一例を示す図である。
【発明を実施するための形態】
【００２０】
以下、本技術を実施するための形態（以下、実施の形態と称する）について説明する。説明は以下の順序により行う。
１．第１の実施の形態（トリガ信号に応じて測定を開始する例）
２．第２の実施の形態（トリガ信号に応じて複数のデバイスが互いに異なる測定対象の測定を開始する例）
３．第３の実施の形態（複数のトリガ信号に応じて測定を開始する例）
４．第４の実施の形態（トリガ信号に応じてデバイス毎に複数の測定対象の測定を開始する例）
５．第５の実施の形態（トリガ信号に応じて測定を開始し、時刻を補正する例）
６．応用例
【００２１】
＜１．第１の実施の形態＞
［センシングシステムの構成例］
図１は、本技術の第１の実施の形態におけるセンシングシステム１００の一構成例を示す全体図である。このセンシングシステム１００は、ウェアラブルデバイス１０１、１０２、１０３および１０４を備える。なお、この例では、４つのウェアラブルデバイス１０１乃至１０４を想定したが、センシングシステム１００内のウェアラブルデバイスの個数は４つに限定されない。
【００２２】
ウェアラブルデバイス１０１は、リストバンド型など、身体に装着することのできる形状のデバイスである。このウェアラブルデバイス１０１は、トリガ信号の信号値を測定し、その信号値が所定の条件を満たす場合に測定対象の物理量の測定を開始する。ここで、トリガ信号は、物理量の測定を開始させるために用いられる信号であり、例えば、音声信号や光信号が用いられる。また、物理量として、例えば、加速度、角速度、脈拍や温度が測定される。ウェアラブルデバイス１０２、１０３および１０４の構成は、ウェアラブルデバイス１０１と同様である。
【００２３】
なお、ウェアラブルデバイス１０１は、特許請求の範囲に記載の第１センサデバイスの一例であり、ウェアラブルデバイス１０２は、特許請求の範囲に記載の第２センサデバイスの一例である。
【００２４】
これらのウェアラブルデバイス１０１、１０２、１０３および１０４は、互いに異なる走者に１対１で装着され、それぞれの走者の加速度などの測定に用いられる。
【００２５】
［ウェアラブルデバイスの構成例］
図２は、本技術の第１の実施の形態におけるウェアラブルデバイス１０１の一構成例を示すブロック図である。このウェアラブルデバイス１０１は、チップ１１０を備える。このチップ１１０には、サンプリングクロック供給部１２０、タイマクロック供給部１３０、ターゲットセンサ１４０、タイマ１５０、トリガセンサ１６０、トリガ判断部１７０、サンプリングクロック供給部１８０が設けられる。また、チップ１１０には、記録部１９０およびセンサデータ収集部２００が設けられる。チップ１１０内の回路のそれぞれは、メインクロックＣＬＫｍに同期して動作する。
【００２６】
サンプリングクロック供給部１８０は、所定周波数のサンプリングクロックＣＬＫｓ１を生成し、トリガセンサ１６０に信号線１８９を介して供給するものである。例えば、水晶発振器、位相同期回路や分周器などにより、サンプリングクロックＣＬＫｓ１が生成される。このサンプリングクロックＣＬＫｓ１の周波数は、メインクロックＣＬＫｍより低いものとする。
【００２７】
トリガセンサ１６０は、サンプリングクロックＣＬＫｓ１に同期してトリガ信号の信号値を測定するものである。ここで、「測定」は、測定対象を、数値や符号に置き換えることを意味する。トリガセンサ１６０は、測定対象のトリガ信号を、その信号値を示すセンサデータに変換（すなわち、測定）し、そのセンサデータをトリガ判断部１７０に信号線１６９を介して送信する。
【００２８】
音声信号がトリガ信号として用いられる場合には、トリガセンサ１６０としてマイクロフォンが用いられる。また、光信号がトリガ信号として用いられる場合には、トリガセンサ１６０として光センサが用いられる。
【００２９】
トリガ判断部１７０は、トリガ信号の信号値が所定の条件を満たすか否かを判断するものである。例えば、トリガ判断部１７０は、信号値と所定の閾値とを比較し、信号値が閾値を越える場合に条件を満たすと判断する。トリガ判断部１７０は、条件を満たす場合に、測定を開始させるための起動信号ＳＴＡと、時刻データを初期化させるためのリセット信号ＲＳＴとを生成する。そして、トリガ判断部１７０は、起動信号ＳＴＡをサンプリングクロック供給部１２０およびターゲットセンサ１４０に信号線１７８を介して供給し、リセット信号ＲＳＴを信号線１７９を介してタイマ１５０に供給する。起動信号ＳＴＡと同時にリセット信号ＲＳＴを送信することにより、ウェアラブルデバイス１０１は、測定のタイミングの同期と、時刻の同期とを同時に行うことができる。
【００３０】
なお、トリガ判断部１７０は、信号値を閾値と比較して、閾値を越えた場合に条件を満たすと判断しているが、条件を満たすか否かの判断方法は、閾値との比較に限定されない。例えば、トリガ判断部１７０は、所定数の信号値からなるデータを一定の信号パターン（音声パターンなど）と比較して、そのパターンに略一致する場合に条件を満たすと判断してもよい。
【００３１】
サンプリングクロック供給部１２０は、起動信号ＳＴＡが入力されると、サンプリングクロックＣＬＫｓ２の生成を開始し、ターゲットセンサ１４０に信号線１２９を介して供給するものである。
【００３２】
ここで、トリガ信号の測定に用いられるサンプリングクロックＣＬＫｓ１の周波数は、加速度等の測定に用いられるサンプリングクロックＣＬＫｓ２よりも高いことが望ましい。例えば、サンプリングクロックＣＬＫｓ１として、１６キロヘルツ（ｋＨｚ）のクロックが用いられ、サンプリングクロックＣＬＫｓ２として、１００ヘルツ（Ｈｚ）のクロックが用いられる。
【００３３】
ターゲットセンサ１４０は、起動信号ＳＴＡが入力されると物理量（加速度など）の測定を開始するものである。このターゲットセンサ１４０は、サンプリングクロックＣＬＫｓ２に同期して測定を行い、測定値を示すセンサデータを生成する。そして、ターゲットセンサ１４０は、センサデータをセンサデータ収集部２００に信号線１４９を介して供給する。
【００３４】
タイマクロック供給部１３０は、所定周波数のタイマクロックＣＬＫｔをタイマ１５０に信号線１３９を介して供給するものである。タイマクロックＣＬＫｔの周波数は、メインクロックＣＬＫｍより低いものとする。例えば、３２．７６８キロヘルツ（ｋＨｚ）の周波数のクロックがタイマクロックＣＬＫｔとして用いられる。
【００３５】
タイマ１５０は、タイマクロックＣＬＫｔに同期して時刻を計時して、時刻を示す時刻データを生成するものである。このタイマ１５０は、リセット信号ＲＳＴが入力されると、時刻データを所定の初期値にする。また、タイマ１５０は、時刻データをセンサデータ収集部２００に信号線１５９を介して供給する。
【００３６】
センサデータ収集部２００は、センサデータと、そのセンサデータが測定されたときの時刻データとを対応付けて記録部１９０に格納するものである。記録部１９０は、センサデータおよび時刻データを記録するものである。
【００３７】
なお、ウェアラブルデバイス１０１は、センサデータおよび時刻データを記録しているが、それらのデータを外部に無線または有線で送信してもよい。
【００３８】
また、チップ１１０をウェアラブルデバイスに設けているが、物理量の測定を行うデバイスであれば、ウェアラブルデバイス以外のデバイスにチップ１１０を設けてもよい。例えば、モバイルデバイスや、据え置き型のデバイスにチップ１１０を設けることもできる。
【００３９】
また、タイマ１５０は、メインクロックＣＬＫｍに同期したタイマクロックＣＬＫｔを用いて計時を行っているが、図３に例示するように、リアルタイムクロックからのＣＬＫＲＴＣに同期したタイマクロックを用いて計時を行ってもよい。ここで、リアルタイムクロックは、デバイスの電源がオフの間も、バッテリにより計時を継続する回路であり、例えば、３２．７６８ヘルツ（Ｈｚ）のクロックＣＬＫＲＴＣを供給する。
【００４０】
図３は、本技術の第１の実施の形態における記録部１９０に記録されるデータの一例を示す図である。例えば、センサデータとして、加速度が測定され、時刻データとして、「ＨＨ：ＳＳ：ｆｆｆ」形式の時刻が計時されるものとする。ここで、「ＨＨ」は、分を示し、「ＳＳ」は秒を示し、「ｆｆｆ」はミリ秒を示す。
【００４１】
起動信号ＳＴＡが生成されると、時刻データは、例えば、「００：００：０００」に初期化され、最初の加速度として例えば、「５．８８」メートル毎秒毎秒（ｍ／ｓ２）が測定される。サンプリングクロックＣＬＫｓ２が１００ヘルツ（Ｈｚ）の場合、０．０１秒後の「００：００：０１０」において、次の加速度として例えば、「５．８０」メートル毎秒毎秒（ｍ／ｓ２）が測定される。
【００４２】
この場合、センサデータ収集部２００は、「００：００：０００」の時刻データと「５．８８」のセンサデータとを対応付けて記録部１９０に格納し、「００：００：０１０」の時刻データと「５．８０」のセンサデータとを対応付けて記録部１９０に格納する。
【００４３】
図４は、本技術の第１の実施の形態におけるウェアラブルデバイス１０１の動作の一例を示すタイミングチャートである。
【００４４】
チップ１１０には、メインクロックＣＬＫｍが入力される。トリガセンサ１６０は、サンプリングクロックＣＬＫｓ１に同期して、トリガ信号の信号値を測定する。また、トリガ判断部１７０は、サンプリングクロックＣＬＫｓ１の立上りのタイミングＴ０からトリガ判断期間が経過するまでの間において、メインクロックＣＬＫｍに同期して、その信号値が閾値を越えたか否かを判断する。ここで、トリガ判断期間の長さは、メインクロックＣＬＫｍの周期より長く、サンプリングクロックＣＬＫｓ１の周期よりも短い値に設定される。この設定により、同期の精度は、サンプリングクロックＣＬＫｓ１の周期と、そのクロックのデバイス間の位相差とのみに依存することとなる。タイミングＴ０からのトリガ判断期間において、信号値が閾値を越えないものとする。この場合において起動信号ＳＴＡは出力されない。
【００４５】
一方、タイマ１５０は、タイマクロックＣＬＫｔに同期して、時刻を計時する。なお、図４において、記載の便宜上、時刻データの値はミリ秒の部分のみが記載されている。
【００４６】
タイミングＴ１からのトリガ判断期間において信号値が閾値を越えると、トリガ判断期間が経過したタイミングＴ２において起動信号ＳＴＡを出力する。この起動信号ＳＴＡに応じて、ターゲットセンサ１４０は、サンプリングクロックＣＬＫｓ２に同期して加速度等の測定を開始する。また、トリガ判断部１７０は、タイミングＴ２においてリセット信号ＲＳＴにより時刻データを初期化する。
【００４７】
図５は、本技術の第１の実施の形態におけるセンシングシステムの利用方法を説明するための図である。このセンシングシステム１００は、短距離走などの陸上競技において複数の走者のそれぞれの加速度などを測定する際に用いられる。センシングシステム１００内のウェアラブルデバイス１０１乃至１０４は、走者のそれぞれに装着される。また、トリガ信号として音声信号が用いられる。そして、トリガ信号の信号値と比較する閾値には、スターターピストル５０１が鳴らされた際の音量に満たない値が設定される。
【００４８】
スターターがタイミングＴ１０においてスターターピストル５０１を鳴らすと、走者のそれぞれは加速を開始する。このときにスターターピストル５０１からの音声信号の値が閾値を越えるため、ウェアラブルデバイス１０１乃至１０４のそれぞれは、加速度の測定を開始するとともに、時刻データを初期化して計時を行う。
【００４９】
このように、ウェアラブルデバイス１０１乃至１０４のそれぞれが音声信号に応じて加速度の測定を開始することにより、それぞれのデバイスの測定のタイミングを同期させることができる。
【００５０】
前述したように、ホストコンピュータを設け、ネットワークを介してホストコンピュータがコマンドを送信してタイミングを同期させることもできるが、この構成では、ホストコンピュータの分、システムの規模やコストが増大してしまう。また、ホストコンピュータとデバイスとの間に有線や無線のネットワークを構築する必要が生じる。
【００５１】
これに対して、ウェアラブルデバイス１０１乃至１０４のそれぞれがトリガ信号（音声信号など）に応じて測定を開始する構成では、ホストコンピュータおよびネットワークが不要となるため、システムの規模やコストを削減することができる。
【００５２】
なお、音声信号をトリガ信号としているが、音声信号の代わりに光信号をトリガ信号としてもよい。例えば、スターターピストル５０１が音とともにストロボ光を発する場合などには、光信号をトリガ信号とすることができる。音よりも光の方が速度が速いため、光信号をトリガ信号とすれば、デバイスへのトリガ信号の到達時間をより短くし、同期の精度を向上させることができる。また、センサにより測定することができる信号であれば、音声信号や光信号以外の信号をトリガ信号として用いることもできる。
【００５３】
図６は、本技術の第１の実施の形態におけるセンシングシステムの動作の一例を示すタイミングチャートである。同図における黒丸は、トリガセンサ１６０の測定を行うタイミングを示す。また、白丸は、ターゲットセンサ１４０が測定を開始するタイミングを示す。
【００５４】
ウェアラブルデバイス１０１乃至１０４のそれぞれのトリガセンサ１６０へのサンプリングクロックＣＬＫｓ１は、同期していない。このため、ウェアラブルデバイス１０１乃至１０４のそれぞれが測定を開始するタイミングは、厳密には同時とならない。同期のタイミングのずれの最大値は、サンプリングクロックＣＬＫｓ１の周期の値となる。
【００５５】
例えば、タイミングＴ１１においてスターターピストル５０１が鳴らされると、そのタイミングＴ１１からサンプリングクロックＣＬＫｓ１の周期が経過するまでの間に、それぞれのデバイスで測定が開始される。例えば、タイミングＴ１１においてウェアラブルデバイス１０４が測定を開始し、タイミングＴ１２においてウェアラブルデバイス１０３が測定を開始する。他のデバイスは、タイミングＴ１１からＴ１２までの間に測定を開始する。
【００５６】
サンプリングクロックＣＬＫｓ１の周波数を１６キロヘルツ（ｋＨｚ）とすると、その周期は、６２．５マイクロ秒（μｓ）となる。この場合、あるデバイスの測定開始のタイミングを基準として、その基準に対する他のデバイスのタイミングのずれは、最大で±６２．５マイクロ秒（μｓ）である。ここで、符号は、基準のタイミングに対して遅れているか進んでいるかを示す。また、サンプリングクロックＣＬＫｓ１の周波数を１メガヘルツ（ＭＨｚ）にすれば、タイミングのずれを最大で±１マイクロ秒（μｓ）に抑制することができる。
【００５７】
ホストコンピュータがコマンドをパケット送信などで同期させる方式では、パケットを処理するアルゴリズムの計算に要する時間や、伝送遅延により、タイミングのずれは、±１マイクロ秒（μｓ）乃至±１００マイクロ秒（μｓ）程度になる。
【００５８】
また、ＧＰＳ（Global Positioning System）衛星からの電波をそれぞれのデバイスが受信し、その受信データから時刻を取得して同期する方式もあるが、この構成では、タイミングのずれが最大で±１マイクロ秒（μｓ）程度になる。
【００５９】
このほか、標準電波を受信して時刻を補正する電波時計をそれぞれのデバイスが内蔵して同期する方式も考えられるが、この構成では、タイミングのずれが最大で±１０ミリ秒（ｍｓ）程度になる。
【００６０】
これらの方式に対して、音声信号をトリガ信号とするセンシングシステム１００では、同期のタイミングのずれ量を同程度、または、より小さくすることができる。また、ホストコンピュータを設ける方式と比較してシステムの規模やコストを削減することができる。また、ＧＰＳ衛星からの電波を受信する方式は屋内において利用できないが、センシングシステム１００では、屋内でも利用することができる。また、電波時計を内蔵する方式では、時刻の補正に分単位の時間が必要になるが、センシングシステム１００では、より短時間でタイミングを同期させることができる。
【００６１】
［ウェアラブルデバイスの動作例］
図７は、本技術の第１の実施の形態におけるウェアラブルデバイス１０１の動作の一例を示すフローチャートである。この動作は、例えば、ウェアラブルデバイス１０１に電源が投入されたときや、所定のアプリケーションが実行されたときに開始される。
【００６２】
ウェアラブルデバイス１０１は、時刻データを初期化して計時を開始する（ステップＳ９０１）。また、ウェアラブルデバイス１０１は、トリガセンサ１６０による測定を開始する（ステップＳ９０２）。そして、ウェアラブルデバイス１０１は、トリガ信号の信号値が閾値を越えたか否かを判断する（ステップＳ９０３）。信号値が閾値を越えていない場合に（ステップＳ９０３：Ｎｏ）、ウェアラブルデバイス１０１は、ステップＳ９０３を繰り返す。
【００６３】
一方、信号値が閾値を越えた場合に（ステップＳ９０３：Ｙｅｓ）、ウェアラブルデバイス１０１は、時刻データを初期化して計時を継続し（ステップＳ９０４）、ターゲットセンサ１４０による測定を開始する（ステップＳ９０５）。そして、ウェアラブルデバイス１０１は、ユーザによる所定のスイッチ操作などにより測定の終了が指示されたか否かを判断する（ステップＳ９０６）。終了が指示されていない場合に（ステップＳ９０６：Ｎｏ）、ウェアラブルデバイス１０１は、測定を継続し、ステップＳ９０６を繰り返す。一方、終了が指示された場合に（ステップＳ９０６：Ｙｅｓ）、ウェアラブルデバイス１０１は、測定のための動作を終了する。
【００６４】
このように、本技術の第１の実施の形態によれば、ウェアラブルデバイス１０１乃至１０４は、トリガ信号の値が所定の条件を満たす場合に測定を開始するため、ホストコンピュータを設けずに、デバイスごとの測定のタイミングを同期させることができる。
【００６５】
［第１の変形例］
上述の第１の実施の形態では、ウェアラブルデバイス１０１等にチップ１１０を設けて陸上競技に利用していたが、監視カメラにチップ１１０を設けて監視や防犯に利用することもできる。この第１の実施の形態における第１の変形例のシステムは、複数の監視カメラのそれぞれの測定のタイミングを同期させる点において第１の実施の形態と異なる。
【００６６】
図８は、本技術の第１の実施の形態の第１の変形例におけるセンシングシステム１００の一構成例を示す図である。この第１の実施の形態の第１の変形例のセンシングシステム１００は、監視カメラ３００および３０１を備える。
【００６７】
監視カメラ３００は、第１の実施の形態と同様のチップ１１０を備える。ただし、ターゲットセンサ１４０としてイメージセンサが用いられる。監視カメラ３００内のトリガ判断部１７０は、ドアが開いたときの音声パターンと、トリガ信号（音声信号）の信号値からなる音声データとを比較し、略一致した際にターゲットセンサ１４０（イメージセンサ）に起動信号ＳＴＡを供給する。イメージセンサは、起動信号ＳＴＡに応じて、画素毎の受光量の測定（言い換えれば、画像データの撮像）を開始する。監視カメラ３０１の構成は、監視カメラ３００と同様である。
【００６８】
ここで、一般的な監視システムにおいて監視カメラのそれぞれは、無線や有線のネットワークを介してホストコンピュータと接続され、ホストコンピュータから送信されたコマンドに従って同期する。
【００６９】
これに対して、音声信号をトリガ信号とするセンシングシステム１００では、ネットワークを構築する必要がなく、ホストコンピュータも不要である。したがって、その分、システムの規模やコストを削減することができる。
【００７０】
このように、本技術の第１の実施の形態の第１の変形例では、トリガ信号の値が所定の条件を満たす場合に監視カメラ３００および３０１が撮像を開始するため、ホストコンピュータを設けずに、監視カメラごとの撮像のタイミングを同期させることができる。
【００７１】
［第２の変形例］
上述の第１の実施の形態では、走者にウェアラブルデバイス１０１等を装着させて陸上競技に利用していたが、楽器や奏者にウェアラブルデバイス１０１等を装着させてオーケストラ録音に利用することでもきる。この第１の実施の形態における第２の変形例のシステムは、楽器や奏者に装着されたデバイスのそれぞれの測定のタイミングを同期させる点において第１の実施の形態と異なる。
【００７２】
図９は、本技術の第１の実施の形態の第２の変形例におけるセンシングシステム１００の一構成例を示す図である。この第１の実施の形態の第２の変形例では、ウェアラブルデバイス１０１乃至１０４のそれぞれは、楽器や奏者に装着される。また、トリガ信号として光信号が用いられ、トリガセンサ１６０としてイメージセンサが用いられる。ターゲットセンサ１４０としてマイクロフォンが用いられる。
【００７３】
トリガ判断部１７０は、イメージセンサにより撮像された画像データを解析して、指揮者が演奏の開始を合図する際のジェスチャを認識する。そして、トリガ判断部１７０は、認識に成功した際に条件を満たしたと判断して、ターゲットセンサ１４０に音声の測定を開始させる。測定された音声は、記録部１９０に記録（すなわち、録音）される。
【００７４】
一般的なオーケストラ録音では、複数のマイクロフォンをレコーダに無線または有線で接続して、それらのマイクロフォンからの音声データをレコーダが同期させて録音する。これに対して、センシングシステム１００では、ウェアラブルデバイスのそれぞれをレコーダに接続する必要が無いため、システムの構成を簡易にすることができる。
【００７５】
このように、本技術の第１の実施の形態の第２の変形例では、トリガ信号の値が所定の条件を満たす場合にウェアラブルデバイス１０１等が録音を開始するため、簡易な構成でデバイスごとの録音のタイミングを同期させることができる。
【００７６】
［第３の変形例］
上述の第１の実施の形態では、タイマ１５０の時刻データを初期化していたが、この時刻データをチップ１１０の内部時計として利用する場合、この時刻データは変更しないことが望ましい。この第１の実施の形態の第３の変形例は、タイマ１５０の時刻データを初期化せずに、センサ用の時刻データを別途に生成する点において第１の実施の形態と異なる。
【００７７】
図１１は、本技術の第１の実施の形態の第３の変形例におけるウェアラブルデバイス１０１の一構成例を示すブロック図である。この第３の変形例のウェアラブルデバイス１０１は、時刻データ加工部２１０をさらに備える点において第１の実施の形態と異なる。なお、タイマ１５０は、リアルタイムクロックからのＣＬＫＲＴＣに同期したタイマクロックを用いて計時を行ってもよい。
【００７８】
図１２は、本技術の第１の実施の形態の第３の変形例における時刻データ加工部２１０の一構成例を示すブロック図である。この時刻データ加工部２１０は、起動時時刻データ保持部２１１および減算器２１２を備える。
【００７９】
起動時時刻データ保持部２１１は、トリガ判断部１７０からのリセット信号ＲＳＴが立ち上がったときの時刻データを起動時時刻データとして保持するものである。この起動時時刻データ保持部２１１は、その起動時時刻データを減算器２１２に供給する。なお、タイマ１５０の計時する時刻データは、初期化されず、例えば、チップ１１０内の内部時計として用いられる。
【００８０】
減算器２１２は、起動時時刻データと、タイマ１５０からの時刻データとの差分を演算するものである。減算器２１２は、その差分の時刻データをセンサ用時刻データとしてセンサデータ収集部２００に供給する。
【００８１】
図１３は、本技術の第１の実施の形態の第３の変形例における計時動作の一例を示すタイミングチャートである。同図において、記載の便宜上、時刻データの値はミリ秒の部分のみが記載されている。タイミングＴ１５においてリセット信号ＲＳＴが立ち上がると、時刻データ保持部２１１は、そのときの時刻データ（例えば、「９３０」）を起動時時刻データとして保持する。また、減算器２１２は、起動時時刻データと、タイマ１５０の時刻データとの差分をセンサ用時刻データとして出力する。タイミングＴ１において、差分（センサ用時刻データ）は、「０００」である。そして、タイミングＴ２においてタイマ１５０の時刻データが「９３１」に更新されると、センサ用時刻データも「００１」に更新される。
【００８２】
なお、図１４に例示するように、時刻データ加工部２１０において、差分に対して、所定のオフセット値を加算する加算器２１３をさらに設けてもよい。例えば、分、秒、ミリ秒のみを起動時に初期化し、日時は、そのまま用いる場合などに、日時がオフセット値として加算される。
【００８３】
このように、本技術の第１の実施の形態の第３の変形例では、タイマ１５０の時刻データを起動時に初期化せず、センサ用時刻データを別途に生成するため、タイマ１５０の時刻データを内部時計として用いることができる。
【００８４】
＜２．第２の実施の形態＞
上述の第１の実施の形態では、ウェアラブルデバイス１０１乃至１０４のそれぞれを互いに異なる走者に１対１で装着させていたが、これらのデバイスの全てを一人の走者に装着させることもできる。例えば、互いに異なる物理量を測定する複数のデバイスを一人の走者に装着させれば、複数の物理量を同時に測定することができる。この第２の実施の形態のセンシングシステム１００は、一人の走者について複数の物理量を同時に測定する点において第１の実施の形態と異なる。
【００８５】
図１５は、本技術の第２の実施の形態におけるセンシングシステム１００の一構成例を示す図である。この第２の実施の形態のセンシングシステム１００では、ウェアラブルデバイス１０１乃至１０４は、一人の走者に装着される。また、ウェアラブルデバイス１０１乃至１０４のそれぞれは、トリガ信号に応じて互いに異なる物理量を測定する。例えば、ウェアラブルデバイス１０１は、加速度を測定し、ウェアラブルデバイス１０２は、角速度を測定する。また、ウェアラブルデバイス１０３は、脈拍を測定し、ウェアラブルデバイス１０４は、温度を測定する。これにより、センシングシステム１００は、互いに異なる複数の物理量の測定を同時に開始することができる。
【００８６】
このように、本技術の第２の実施の形態では、ウェアラブルデバイス１０１等が、トリガ信号に応じて互いに異なる複数の物理量を測定するため、複数の物理量の測定のタイミングを同期することができる。
【００８７】
＜３．第３の実施の形態＞
上述の第１の実施の形態では、センシングシステム１００において１種類の信号（例えば、音声信号のみ）をトリガ信号として用いていた。しかし、大会によっては他の種類の信号によりスタートの合図を行う場合もあり、そのような大会ではタイミングを同期することができない。この場合には他の種類（例えば、光信号）をトリガ信号とするデバイスを代わりに用いればよいが、状況に応じてデバイスを切り替えるのは煩雑である。ウェアラブルデバイス１０１等が、複数種類の信号をトリガ信号として用いれば、例えば、音声信号および光信号のどちらがスタートの合図であっても対応することができる。この第３の実施の形態のセンシングシステム１００は、音声信号および光信号をトリガ信号として用いる点において第１の実施の形態と異なる。
【００８８】
図１６は、本技術の第３の実施の形態におけるウェアラブルデバイス１０１の一構成例を示す図である。このウェアラブルデバイス１０１は、トリガセンサ１６１をさらに備える点において第１の実施の形態と異なる。トリガセンサ１６１は、トリガセンサ１６０と異なる信号の値を測定するものである。例えば、トリガセンサ１６０が音声信号の値を測定し、トリガセンサ１６１が光信号の値を測定する。また、トリガセンサ１６０には、サンプリングクロックＣＬＫｓ０が供給され、トリガセンサ１６１には、サンプリングクロックＣＬＫｓ１が供給される。
【００８９】
第３の実施の形態のトリガ判断部１７０は、音声信号および光信号のそれぞれの信号値が所定の条件を満たすか否かを判断する。例えば、音声信号の値が閾値Ｔｈ１より大きい場合、または、光信号の値が閾値Ｔｈ２より大きい場合に、トリガ判断部１７０は、条件を満たすと判断して起動信号ＳＴＡを生成する。これにより、音声信号のみをスタートの合図に用いる場合と、光信号のみをスタートの合図に用いる場合との両方の状況に対応することができ、センシングシステム１００の汎用性を向上させることができる。
【００９０】
なお、トリガ判断部１７０は、音声信号の値が閾値Ｔｈ１より大きく、かつ、光信号の値が閾値Ｔｈ２より大きいときに条件を満たすと判断してもよい。スターターピストルの中には、音とともに光を発する製品もあり、そのような製品が使用される場合に、タイミングの同期をより確実に行うことができる。これにより、センシングシステム１００の信頼性を向上させることができる。
【００９１】
また、センシングシステム１００は、音声信号および光信号の２つをトリガ信号として用いているが、３つ以上の信号をトリガ信号として用いてもよい。さらに、センシングシステム１００は、音声信号および光信号以外の組合せの複数の信号をトリガ信号として用いてもよい。
【００９２】
このように、本技術の第３の実施の形態では、ウェアラブルデバイス１０１等は、音声信号に加えて光信号の値を測定するため、音声信号のみを測定する場合と比較してシステムの汎用性や信頼性を向上させることができる。
【００９３】
＜４．第４の実施の形態＞
上述の第１の実施の形態では、走者ごとに１つのウェアラブルデバイスを装着させて１つの物理量（加速度など）を測定していた。しかし、走者ごとに複数の物理量を測定させる際には、走者ごとに複数のウェアラブルデバイスを用意する必要があり、装着の手間が増大してシステムの利便性が低下するおそれがある。この場合には、ウェアラブルデバイスのそれぞれが複数の物理量を測定することが望ましい。この第４の実施の形態のセンシングシステム１００は、１つのウェアラブルデバイスが複数の物理量を測定する点において第１の実施の形態と異なる。
【００９４】
図１７は、本技術の第４の実施の形態におけるウェアラブルデバイス１０１の一構成例を示す図である。このウェアラブルデバイス１０１は、ターゲットセンサ１４１、１４２および１４３をさらに備える点において第１の実施の形態と異なる。ターゲットセンサ１４０、１４１、１４２および１４３は、互いに異なる物理量を測定する。例えば、ターゲットセンサ１４０は、加速度を測定し、ターゲットセンサ１４１は、角速度を測定する。また、ターゲットセンサ１４２は、脈拍を測定し、ターゲットセンサ１４３は、温度を測定する。
【００９５】
トリガ判断部１７０は、起動信号をターゲットセンサ１４１、１４２および１４３にも供給する。また、サンプリングクロック供給部１２０は、ターゲットセンサ１４１、１４２および１４３にサンプリングクロックＣＬＫｓ３、ＣＬＫｓ４およびＣＬＫｓ５を供給する。センサデータ収集部２００は、ターゲットセンサ１４１、１４２および１４３のそれぞれからのセンサデータについても時刻データと対応付けて記録部１９０に記録する。ウェアラブルデバイス１０２、１０３および１０４の構成は、ウェアラブルデバイス１０１と同様である。
【００９６】
なお、ウェアラブルデバイスの個数は４つに限定されない。例えば、走者が一人であるときはウェアラブルデバイス１０１のみが設けられる。
【００９７】
このように、本技術の第４の実施の形態では、複数の物理量を測定するウェアラブルデバイス１０１等を複数の走者のそれぞれに装着させたため、センシングシステム１００は、走者ごとに複数の物理量を測定することができる。
【００９８】
＜５．第５の実施の形態＞
上述の第１の実施の形態では、トリガ信号に応じて時刻データの初期化のみを行っていたが、時刻の経過とともにウェアラブルデバイス１０１等のデバイス間で時刻データにずれが生じるおそれがある。これは、タイマクロックＣＬＫｔが、デバイス間で同期しておらず、時刻の経過とともに、そのクロックのずれが蓄積するためである。このため、時刻の補正を定期的に行うことが望ましい。この第５の実施の形態におけるセンシングシステム１００は、時刻の補正を定期的に行う点において第１の実施の形態と異なる。
【００９９】
図１８は、本技術の第５の実施の形態におけるセンシングシステム１００の一構成例を示す全体図である。この第５の実施の形態のセンシングシステム１００には、スピーカ５０２がさらに配置される。スピーカ５０２は、スターターピストル５０１に有線または無線で接続される。
【０１００】
スピーカ５０２は、スターターピストル５０１が音声信号を発した後に、定期的に音声信号を出力するものである。ここで、スピーカ５０２が出力する音声信号は、走者の集中力を低下させないように、人間が聞くことができない程度の高周波数帯域（例えば、２０キロヘルツ以上）の音声信号であることが望ましい。
【０１０１】
ウェアラブルデバイス１０１等のそれぞれは、高周波数帯域の音声信号に応じて時刻を補正する。例えば、スピーカ５０２は、Ｍ（Ｍは実数）秒ごとに音声信号を出力する。そして、ウェアラブルデバイス１０１内のトリガ判断部１７０は、計時の開始後に、高周波数帯域の音声信号の信号値をサンプリングクロックＣＬＫｓ１に同期して繰り返し測定する。そして、トリガ判断部１７０は、その信号値が閾値より高いと判断するたびに、判断した回数を計数し、その計数値に応じた制御信号をタイマ１５０に送信する。例えば、回数がＮ（Ｎは、整数）回のときにトリガ判断部１７０は、時刻データをＭ×Ｎ秒に補正させる制御信号を送信する。
【０１０２】
なお、光信号をトリガ信号とし、スピーカ５０２の代わりに定期的に光信号を発する発光装置を配置し、ウェアラブルデバイス１０１等が、その光信号に応じて時刻を補正してもよい。この場合に、発光装置が発する光信号は、走者の集中力を低下させないように赤外光などの不可視光であることが望ましい。また、スタートの合図に音声信号を用い、補正に光信号を用いてもよい。この場合には、ウェアラブルデバイス１０１内において第３の実施の形態のように、複数のトリガセンサを設ければよい。
【０１０３】
図１９は、本技術の第５の実施の形態における時刻の補正を行う際のセンシングシステム１００の動作を示すタイミングチャートである。タイミングＴ２１において、スターターピストル５０１が鳴らされると、ウェアラブルデバイス１０１乃至１０４のそれぞれは、時刻データを初期化し、センサデータ（加速度など）の測定を開始する。同図において、記載の便宜上、時刻データの値はミリ秒の部分のみが記載されている。
【０１０４】
そして、タイミングＴ２１から０．１秒が経過したタイミングＴ２２において、スピーカ５０２は、音声信号を出力する。その音声信号に基づいてウェアラブルデバイス１０１乃至１０４のそれぞれは時刻データを０．１秒（すなわち、１００ミリ秒）に補正する。
【０１０５】
さらにタイミングＴ２２から０．１秒が経過したタイミングＴ２３において、スピーカ５０２は、２回目の音声信号を出力する。その音声信号に基づいてウェアラブルデバイス１０１乃至１０４のそれぞれは時刻データを０．２秒（すなわち、２００ミリ秒）に補正する。以下、同様にスピーカ５０２は、０．１秒ごとにＮ回目の音声信号を出力し、ウェアラブルデバイス１０１等は、そのたびにＮ×０．１秒に時刻データを補正する。
【０１０６】
このように、本技術の第５の実施の形態では、ウェアラブルデバイス１０１は、計時開始後に音声信号に基づいて時刻データを補正するため、それぞれのデバイスは正確な時刻を計時することができる。
【０１０７】
＜５．応用例＞
本開示に係る技術は、いわゆる「物のインターネット」であるＩｏＴ（Ｉｎｔｅｒｎｅｔ  ｏｆ  ｔｈｉｎｇｓ）と呼ばれる技術へ応用可能である。ＩｏＴとは、「物」であるＩｏＴデバイス９１００が、他のＩｏＴデバイス９００３、インターネット、クラウド９００５などに接続され、情報交換することにより相互に制御する仕組みである。ＩｏＴは、農業、家、自動車、製造、流通、エネルギー、など様々な産業に利用できる。
【０１０８】
図２０は、本開示に係る技術が適用され得るＩｏＴシステム９０００の概略的な構成の一例を示す図である。
ＩｏＴデバイス９００１には、温度センサ、湿度センサ、照度センサ、加速度センサ、距離センサ、画像センサ、ガスセンサ、人感センサなどの各種センサなどが含まれる。また、ＩｏＴデバイス９００１には、スマートフォン、携帯電話、ウェアラブル端末、ゲーム機器などの端末を含めてもよい。ＩｏＴデバイス９００１は、ＡＣ電源、ＤＣ電源、電池、非接触給電、いわゆるエナジーハーベストなどにより給電される。ＩｏＴデバイス９００１は、有線、無線、近接無線通信などにより通信することができる。通信方式は３Ｇ／ＬＴＥ、ＷｉＦｉ、ＩＥＥＥ８０２．１５．４、Ｂｌｕｅｔｏｏｔｈ、Ｚｉｇｂｅｅ（登録商標）、Ｚ−Ｗａｖｅなどが好適に用いられる。ＩｏＴデバイス９００１は、これらの通信手段の複数を切り替えて通信してもよい。
【０１０９】
ＩｏＴデバイス９００１は、１対１、星状、ツリー状、メッシュ状のネットワークを形成してもよい。ＩｏＴデバイス９００１は、直接に、またはゲートウエイ９００２を通して、外部のクラウド９００５に接続してもよい。ＩｏＴデバイス９００１には、ＩＰｖ４、ＩＰｖ６、６ＬｏＷＰＡＮなどによって、アドレスが付与される。ＩｏＴデバイス９００１から収集されたデータは、他のＩｏＴデバイス９００３、サーバ９００４、クラウド９００５などに送信される。ＩｏＴデバイス９００１からデータを送信するタイミングや頻度は好適に調整され、データを圧縮して送信してもよい。このようなデータはそのまま利用してもよく、統計解析、機械学習、データマイニング、クラスタ分析、判別分析、組み合わせ分析、時系列分析など様々な手段でデータをコンピュータ９００８で分析してもよい。このようなデータを利用することにより、コントロール、警告、監視、可視化、自動化、最適化、など様々なサービスを提供することができる。
【０１１０】
本開示に係る技術は、家に関するデバイス、サービスにも応用可能である。家におけるＩｏＴデバイス９００１には、洗濯機、乾燥機、ドライヤ、電子レンジ、食洗機、冷蔵庫、オーブン、炊飯器、調理器具、ガス器具、火災報知器、サーモスタット、エアコン、テレビ、レコーダ、オーディオ、照明機器、温水器、給湯器、掃除機、扇風機、空気清浄器、セキュリティカメラ、錠、扉・シャッター開閉装置、スプリンクラー、トイレ、温度計、体重計、血圧計などが含まれる。さらにＩｏＴデバイス９００１には、太陽電池、燃料電池、蓄電池、ガスメータ、電力メータ、分電盤を含んでもよい。
【０１１１】
家におけるＩｏＴデバイス９００１の通信方式は、低消費電力タイプの通信方式が望ましい。また、ＩｏＴデバイス９００１は屋内ではＷｉＦｉ、屋外では３Ｇ/ＬＴＥにより通信するようにしてもよい。クラウド９００５上にＩｏＴデバイス制御用の外部サーバ９００６を設置し、ＩｏＴデバイス９００１を制御してもよい。ＩｏＴデバイス９００１は、家庭機器の状況、温度、湿度、電力使用量、家屋内外の人・動物の存否などのデータを送信する。家庭機器から送信されたデータは、クラウド９００５を通じて、外部サーバ９００６に蓄積される。このようなデータに基づき、新たなサービスが提供される。このようなＩｏＴデバイス９００１は、音声認識技術を利用することにより、音声によりコントロールすることができる。
【０１１２】
また各種家庭機器からテレビに情報を直接送付することにより、各種家庭機器の状態を可視化することができる。さらには、各種センサーが居住者の有無を判断し、データを空調機、照明などに送付することで、それらの電源をオン・オフすることができる。さらには、各種家庭機器に供えられたディスプレイにインターネットを通じて広告を表示することができる。
【０１１３】
以上、本開示に係る技術が適用され得るＩｏＴシステム９０００の一例について説明した。本開示に係る技術は、以上説明した構成のうち、ＩｏＴデバイス９００１に好適に適用され得る。具体的には、ＩｏＴデバイス９００１のそれぞれは、トリガ信号に応じて測定対象の測定を開始する。ＩｏＴシステム９０００に本開示に係る技術を適用することにより、測定のタイミングを簡易な構成により同期させることができる。
【０１１４】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１１５】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disc）、メモリカード、ブルーレイディスク（Blu-ray（登録商標）Disc）等を用いることができる。
【０１１６】
なお、本明細書に記載された効果はあくまで例示であって、限定されるものではなく、また、他の効果があってもよい。
【０１１７】
なお、本技術は以下のような構成もとることができる。
（１）トリガ信号の信号値を測定するトリガセンサと前記測定された信号値が所定の条件を満たす場合には測定対象の物理量の測定を開始するターゲットセンサとをそれぞれが備える複数のセンサデバイスを具備するセンシングシステム。
（２）前記センサデバイスは、前記トリガセンサにより測定された信号値が前記所定の条件を満たす場合には計時を開始するタイマをさらに備える
前記（１）記載のセンシングシステム。
（３）  前記タイマは、計時を開始した後に前記信号値に基づいて時刻の補正を行う
前記（２）記載のセンシングシステム。
（４）前記タイマは、前記信号値が前記所定の条件を満たす場合には所定の初期値に初期化される
前記（２）または（３）記載のセンシングシステム。
（５）前記センサデバイスは、時刻データを計時するタイマと、前記信号値が所定の条件を満たすときの前記時刻データを起動時時刻データとして保持し、前記起動時時刻データと前記時刻データとの差分からセンサ用時刻データを生成する時刻データ加工部とをさらに備える
前記（１）に記載のセンシングシステム。
（６）前記センサデバイスは、互いに異なる物理量を測定する複数のセンサを前記ターゲットセンサとして備える
前記（１）から（４）のいずれかに記載のセンシングシステム。
（７）前記センサデバイスは、互いに異なる信号を測定する複数のセンサを前記トリガセンサとして備える
前記（１）から（６）のいずれかに記載のセンシングシステム。
（８）前記ターゲットセンサは、所定周波数のサンプリングクロックに同期して前記物理量を測定し、
前記トリガセンサは、前記所定周波数より周波数の高いサンプリングクロックに同期して前記信号値を測定する
前記（１）から（７）のいずれかに記載のセンシングシステム。
（９）前記トリガ信号は、音声信号および光信号の少なくとも一方を含む
前記（１）から（８）のいずれかに記載のセンシングシステム。
（１０）前記ターゲットセンサは、イメージセンサである
前記（１）から（８）のいずれかに記載のセンシングシステム。
（１１）前記トリガセンサは、イメージセンサである
前記（１）から（９）のいずれかに記載のセンシングシステム。
（１２）トリガ信号の信号値を測定するトリガセンサと、
前記測定された信号値が所定の条件を満たす場合には測定対象の物理量の測定を開始するターゲットセンサと
を具備するセンサデバイス。
【符号の説明】
【０１１８】
１００  センシングシステム
１０１、１０２、１０３、１０４  ウェアラブルデバイス
１１０  チップ
１２０、１８０  サンプリングクロック供給部
１３０  タイマクロック供給部
１４０、１４１、１４２、１４３  ターゲットセンサ
１５０  タイマ
１６０、１６１  トリガセンサ
１７０  トリガ判断部
１９０  記録部
２００  センサデータ収集部
２１０  時刻データ加工部
２１１  起動時時刻データ保持部
２１２  減算器
２１３  加算器
３００、３０１  監視カメラ
５０１  スターターピストル
５０２  スピーカ
９００１  ＩｏＴデバイス
【図１】
2018092460.tif 000003
【図２】
2018092460.tif 000004
【図３】
2018092460.tif 000005
【図４】
2018092460.tif 000006
【図５】
2018092460.tif 000007
【図６】
2018092460.tif 000008
【図７】
2018092460.tif 000009
【図８】
2018092460.tif 000010
【図９】
2018092460.tif 000011
【図１０】
2018092460.tif 000012
【図１１】
2018092460.tif 000013
【図１２】
2018092460.tif 000014
【図１３】
2018092460.tif 000015
【図１４】
2018092460.tif 000016
【図１５】
2018092460.tif 000017
【図１６】
2018092460.tif 000018
【図１７】
2018092460.tif 000019
【図１８】
2018092460.tif 000020
【図１９】
2018092460.tif 000021
【図２０】
2018092460.tif 000022